(57)【要約】システムは、複数のセンサおよびモニタを含む。複数のセンサのうちの各センサは、生理学的測定に対応するセンサ出力を有する。各センサは、センサ出力に関連付けられたパラメータを有する。モニタは、モニタプロセッサ、ディスプレイおよび複数のチャネルを有する。各チャネルは、複数のセンサのうちの一センサからセンサ出力を受信するように構成される。モニタプロセッサは、一組の命令を実行するように構成され、ディスプレイを利用して生理学的測定を示すように構成される。センサ出力は、センサ出力に関連付けられたパラメータを利用して構成される。パラメータは、センサに関連付けられたチャネルおよびチャネルを利用して受信された符号のうちの少なくとも一つに対応する。【選択図】図１Ａ
2015532882.tif 000002
【特許請求の範囲】
【請求項１】
各センサが生理学的測定に対応するセンサ出力および前記センサ出力に関連付けられるパラメータを有する、複数のセンサと、
モニタプロセッサ、ディスプレイおよび複数のチャネルを有するモニタと、
を含み、
各チャネルは、前記複数のセンサのうちの一センサからセンサ出力を受信するように構成され、前記モニタプロセッサは、一組の命令を実行するように構成され、かつ、前記ディスプレイを利用して前記生理学的測定を示すように構成され、前記センサ出力は、前記センサ出力に関連付けられた前記パラメータを利用して構成され、前記パラメータは、前記センサに関連付けられた前記チャネルおよび前記チャネルを利用して受信された符号のうちの少なくとも一つに対応する、
ことを特徴とするシステム。
【請求項２】
少なくとも一つのセンサは局所酸素測定センサを含む、
ことを特徴とする請求項１に記載のシステム。
【請求項３】
チャネルは、前記モニタに結合されたコネクタポッドを含み、前記コネクタポッドは、前記センサ出力に対応するデータを生成するように構成されたポッドプロセッサを有する、
ことを特徴とする請求項１に記載のシステム。
【請求項４】
前記ポッドプロセッサは、前記センサ出力に対して較正調整を行うように構成される、
ことを特徴とする請求項１に記載のシステム。
【請求項５】
前記モニタプロセッサは、前記パラメータに対応する符号化されたデータを読み出すように構成される、
ことを特徴とする請求項１に記載のシステム。
【請求項６】
前記モニタプロセッサは、前記符号および前記パラメータのうちの少なくとも一つを利用して、前記生理学的測定の時間表示を作成するように構成される、
ことを特徴とする請求項１に記載のシステム。
【請求項７】
センサおよびモニタ間の通信チャネルを検出することであって、前記モニタは複数のチャネルを有し、各チャネルは、複数のセンサのうちの一センサおよび前記モニタ間の通信用に構成される、ことと、
前記センサに関連付けられた符号の読み出しを試みることであって、前記符号は前記センサから受信される、ことと、
符号のない場合には、前記通信チャネルに基づいて、前記センサ用のパラメータを決定することと、
前記符号を検出すると、前記符号に基づいて、前記センサ用の前記パラメータを決定することと、
前記モニタのディスプレイ上に前記センサからのデータを示すことと、を含み、
前記データは前記パラメータを利用して表示される、
ことを特徴とする方法。
【請求項８】
前記通信チャネルを検出することは、有線接続を検出することを含む、
ことを特徴とする請求項７に記載の方法。
【請求項９】
前記符号の読み出しを試みることは、前記センサの受動素子に関連付けられた値を決定することを含む、
ことを特徴とする請求項７に記載の方法。
【請求項１０】
前記符号の読み出しを試みることは、前記センサの能動素子に関連付けられた値を決定することを含む、
ことを特徴とする請求項７に記載の方法。
【請求項１１】
前記パラメータを決定することは、較正情報を決定すること、前記ディスプレイ上の位置を決定すること、前記ディスプレイに対するラベルを決定することおよび前記センサに関連付けられた身体位置を決定することのうちの一つを含む、
ことを特徴とする請求項７に記載の方法。
【請求項１２】
前記センサに関連付けられた身体位置を決定することおよび前記身体位置を示すことをさらに含む、
ことを特徴とする請求項７に記載の方法。
【請求項１３】
前記センサに対する種別を決定することおよび前記種別を示すことをさらに含む、
ことを特徴とする請求項７に記載の方法。
【発明の詳細な説明】
【技術分野】
【０００１】
［優先権出願］
本発明は、２０１２年１０月２６日に出願された米国仮出願番号６１／７１８，８３１に対する優先権を享受する権利を主張し、米国仮出願番号６１／７１８，８３１は、参照によって、その全体において本明細書に組み入れられる。
【背景技術】
【０００２】
局所酸素測定は、時には組織酸素測定とも称されるが、組織内血液の酸素化の測定を提供する。測定は、特定の組織の健康状態に関して重要なデータを提供することができる。患者の局所酸素測定を監視するための装置は、患者の複数の組織部位に対する組織酸素化に関する情報を提供することができる。例えば、コンパートメント（筋区画）症候群のリスクがあると考えられる患者は、多数の外部センサを利用して監視されることがあるが、これらの個々のセンサは、例えば、上腿部位、下腿部位および患者の腕における追加部位に配置される。個々のセンサは、ストラップ、接着剤、衣類を利用して、もしくは他の手段によって組織部位に取り付けることができる。
【０００３】
システムは、一つ以上のセンサおよびモニタを含むことができる。モニタは、センサと連通し、プロセッサ、メモリ、ディスプレイおよびセンサによって提供されるデータもしくは信号を監視するための他の構成要素を含むことができる。現在利用可能なモニタは、不十分なものである。例えば、多数のセンサの管理に関連するコストおよび負荷が時には度を超えたものとなる。さらに、種々のセンサが、患者に対して不適切に取り付けられることがある。
【発明の概要】
【０００４】
本発明の主題は、自己識別センサシステムに関する。一実施例は、モニタに接続すると、センサが位置すべき身体部分を識別するように構成されたセンサを有するシステムを含む。モニタのディスプレイは、当該センサに対する患者の身体における位置を示すように構成される。例えば、ディスプレイは、身体の描写を含み、あるセンサの接続を検出すると、ディスプレイは、身体の左側を示すように構成され、別のセンサに対しては、ディスプレイは、身体の右側を示すように構成される。一実施例においては、種々のセンサは、センサが身体の特定の部分への取付け用に設計されていることを示すために、外部表面上に標識される。
【０００５】
本発明の主題の一実施例は、コンパートメント症候群を監視するために適合される。コンパートメント症候群は、身体の領域もしくは区画内の神経、血管および筋肉の圧迫によって特徴づけられる。この圧迫は、筋区画における圧力上昇および急速に進行する腫脹につながる。この急速に進行する腫脹は、患者の肢部への血流を制限もしくは遮断する可能性がある。
【０００６】
コンパートメント症候群は、上腕および下腿領域に通常関連し、骨折、損傷後の虚血再灌流、出血、血管穿刺、静脈内薬物注入、ギプス、長期にわたる肢部圧迫、圧挫損傷および火傷によって引き起こされる可能性がある。コンパートメント症候群は、しばしば、爆発装置由来の戦傷に関連する。
【０００７】
コンパートメント症候群に対する治療は、多様な外科手術を含み、ある場合には、これは四肢切断を含むことがある。
【０００８】
本発明の主題は、組織の健康状態を検出かつ監視するように構成されたシステムに関する。例えば、或るシステムは、身体の複数位置において組織酸素化を監視するために利用することができ、それによって、コンパートメント症候群を含む種々の状態を検出かつ監視するために利用することができる。
【０００９】
患者の脚部が圧挫などの外傷を被っている一例を考える。脚部は、切断による治療が必要になりうるような腫脹および血流減少の危険がある。患者は、本明細書で記述されたようなシステムを利用して監視することができる。モニタは、患者の損傷していない脚部および他の部分とともに、損傷した脚部上に取り付けられた個々のセンサへと結合することができる。センサは、身体の種々の領域に対応する局所酸素測定を提供することができる。
【００１０】
一実施例においては、システムは、個々のセンサ内に符号化されたデータを読み出すことができるアルゴリズムを実行して、各特定のセンサからのデータを如何に表示するかを決定する。センサが情報を符号化される場合、システムは、チャネル符号化（ｃｏｄｉｎｇ）（通常、センサタイプもしくは身体の領域を示すために利用される）を無視することができ、その代わりに、センサ内の符号化された情報が、如何にしてデータをモニタ上に表示するかを決定するために利用される。
【００１１】
一実施例においては、動作の第一モードは、センサからの局所酸素測定データが、センサが接続されるチャネルに基づいてラベル付けされて表示される状況に対応する。本実施例においては、センサは、同一タイプであってもよいし、同一であるように見えてもよいが、システムは、各センサに対する適切な表示モードおよびラベル付けを決定することができる。種々の実施例においては、データは、無線もしくは有線接続によって通信される。
【００１２】
一実施例においては、動作の第二モードは、センサがセンサ較正情報、表示情報およびセンサ位置情報に対応するセンサ情報を符号化される状況に対応する。センサ内に符号化された情報は、センサが接続されるチャネルもしくはポートに関係なく決定的である。
【００１３】
種々の実施例においては、センサは、モニタによって読み出すことができる情報が符号化されるか、または、センサは、患者における配置用の位置を可視的に示すように標識される。
【００１４】
本発明の主題の一実施例は、動作のあるモードから動作の別のモードへと自動的に切り替わるように構成される。一実施例は、局所酸素測定、パルス酸素測定および動脈管開存症を測定かつ監視するように構成される。温度監視、血圧監視もしくは他の生理学的データ用に構成されたセンサを含む、他のセンサも使用することができる。
【００１５】
コンパートメント症候群に加えて、他の状態も、本発明の主題の一実施例を利用して監視されてもよい。局所酸素測定に関して、患者は、ある期間にわたって、複数の組織部位で監視されてもよい。組織部位は、患者の身体周囲の広く分布した位置に取り付けられた種々のタイプのセンサアセンブリを利用して監視されてもよい。センサアセンブリは、データ処理を提供し、酸素測定データに関する情報を表示するモニタに各々結合される。
【００１６】
患者に対する複数のセンサの取付けおよび種々のセンサの適切な接続に関連する手動作業は、幾分厄介なことがある。一実施例においては、複数のセンサは、特定の組織部位で利用するように構成され、センサからの酸素測定データを適切に表示するために、モニタの特定のポート（もしくはチャネル）への接続を必要とする。
【００１７】
モニタおよび種々のセンサアセンブリの適切な再配置および再接続に関連する問題は、本発明の主題の一実施例によって扱われる。例えば、一実施例は、複数のコネクタポッドを有するモニタを含む。各コネクタポッドは、センサアセンブリへと結合することができる。位置、タイプおよび較正情報が自動的に提供されるとともに、センサアセンブリは酸素測定データを提供する。
【００１８】
局所酸素測定モニタおよび種々の関連センサの管理に関する問題は、本発明の一実施例によって扱うことができる。一実施例は、複数のコネクタポッドを有する酸素測定モニタを含む。ポッドはモニタへと結合され、各ポッドは、任意の数のセンサアセンブリと結合するように構成される。
【００１９】
一実施例においては、各コネクタポッドはセンサに依存しない。例えば、第一のセンサは、下腿領域における組織酸素測定を監視するために構成された光学素子を含み、第二のセンサは、上腕領域における組織酸素測定を監視するために構成された光学素子を含むことができる。本発明の主題のコネクタポッドは、第一のセンサもしくは第二のセンサのいずれかと接続することができる。何れのセンサに接続されているかに関わらず、モニタは、センサ内に符号化されたデータを読み出して、データの表示およびスケーリングに適切な位置を決定し、それに従ってデータを示すように構成される。
【００２０】
この概要は、本特許出願の主題の概要を提供することを意図するものである。この概要は、本発明の排他的もしくは包括的説明を提供することを意図するものではない。発明を実施するための形態は、本特許出願についてのさらなる情報を提供するために含まれる。
【図面の簡単な説明】
【００２１】
図面においては、必ずしも同一の縮尺で描かれているとは限らないが、類似の参照番号は、異なる図面においても類似の構成要素を記述することがある。異なる添え字を有する類似の参照番号は、類似構成要素の異なる例を表すことがある。図面は、概して例示する目的のためのものであって、限定する目的ではなく、本文書で議論される種々の実施形態を示す。
【図１Ａ】一実施例によるシステムの図を示す。
【図１Ｂ】一実施例によるモニタのブロック図を示す。
【図２】一実施例によるセンサおよびポッドを含む図を示す。
【図３】一実施例によるセンサのブロック図を示す。
【図４】一実施例によるポッドのブロック図を示す。
【図５】一実施例による方法を示す。
【発明を実施するための形態】
【００２２】
図１Ａは、一実施例によるシステム１００の図を示す。示された実施例は、モニタ９０Ａと、複数の幹線ケーブル（幹線ケーブル７０Ａおよび幹線ケーブル７０Ｂ）によって結合された複数のポッド（ここでは、ポッド８０Ａ、ポッド８０Ｂ、ポッド８０Ｃ、ポッド８０Ｄとして示される）とを含む。モニタ９０Ａは、視覚ディスプレイ９２および前面パネル上に位置するユーザ操作可能な複数の制御装置９４を含む。示された実施例においては、モニタ９０Ａは、二つの幹線ケーブル７０Ａおよび７０Ｂに結合される。幹線ケーブル７０Ａおよび７０Ｂは、モニタ９０Ａおよびポッド８０Ａ−８０Ｄの間で電気信号を伝送する。種々の実施例においては、各幹線ケーブル（幹線ケーブル７０Ａなど）もしくは各ポッド（ポッド８０Ａなど）は、モニタの特定のチャネルと関連付けられる。
【００２３】
本図面は、有線通信リンク（幹線ケーブル７０Ａなど）によってポッド（ポッド８０Ａなど）に結合されたモニタ９０Ａを示しているが、他の実施例は、モニタ９０Ａおよびポッド（ポッド８０Ａなど）の間の無線通信リンクを含む。
【００２４】
図１Ｂは、モニタ９０Ｂのブロック図を示す。示された実施例においては、モニタ９０Ｂは、入力モジュール６２、出力モジュール６４およびメモリ６６に結合されたプロセッサ６０を含む。プロセッサ６０は、命令を実行するか、またはアルゴリズムを実現するように構成されたアナログもしくはデジタルプロセッサを含むことができる。メモリ６６は、測定されたデータ、パラメータ値、較正情報および他のデータの記憶装置と共に、命令の記憶装置を提供することができる。メモリ６６はルックアップテーブルを含むことができる。入力モジュール６２は、ユーザ操作可能なタッチスクリーン、キーパッド、スイッチ、マウスコントローラ、ネットワークインターフェイスもしくは他のタイプの入力デバイスを含むことができる。出力モジュール６４は、プリンタ、ディスプレイ、スピーカ、ネットワークインターフェイスもしくは他のタイプの出力デバイスを含むことができる。モニタ９０Ｂは、デジタルもしくはアナログ回路を利用して実現することができる。
【００２５】
図２は、一実施例によるセンサ２４Ａおよびポッド８０Ｅを示す。本図面においては、ポッド８０Ｅは、センサ２４Ａに、センサコード２０によって結合される。センサコード２０は、センサコネクタ２２Ａによってポッド８０Ｅに接続される。センサコード２０は、センサ２４Ａおよびポッド８０Ｅの間の一方向通信もしくは双方向通信を可能とする。一実施例においては、センサコード２０は、ポッド８０Ｅにセンサ出力信号を伝送し、センサ２４Ａにコマンド信号（命令）を伝送する。
【００２６】
ポッド８０Ｅは、（モニタ９０Ａもしくは９０Ｂなど、本図面には図示されていない）モニタに接続される。センサ２４Ａは、示された実施例においては、組織表面に接着するように構成される。本図面は、有線通信リンク（ここでは、センサコード２０として示される）によってポッド８０Ｅに結合されたセンサ２４Ａを示しているが、他の実施例は、センサ２４Ａおよびポッド８０Ｅの間に無線通信リンクを含む。
【００２７】
図３は、一実施例によるセンサ２４Ｂのブロック図を示す。本実施例においては、センサ２４Ｂは、プロセッサ４０、メモリ４２、第一のエミッタ３２Ａおよび第二のエミッタ３２Ｂ、ならびに第一の検出器３４Ａおよび第二の検出器３４Ｂを含む。エミッタ３２Ａおよび３２Ｂならびに検出器３４Ａおよび３４Ｂは、センサ２４Ｂの組織接触面周囲に分布する。エミッタ３２Ａおよび３２Ｂは、局所酸素もしくはパルス酸素を測定するために構成された波長で、光エネルギーを放射するように構成される。検出器３４Ａおよび３４Ｂは、透過光もしくは反射光エネルギーに対応する検出された光エネルギーに対応する出力信号を生成するように構成される。光学素子（エミッタ３２Ａおよび３２Ｂを含み、検出器３４Ａおよび３４Ｂを含む）は、組織への光透過の種々の深度に対応する距離で間隔をあけられる。示された実施例においては、複数の光路（光路３６Ａ、３６Ｂ、３８Ａおよび３８Ｂ）は、センサ出力を較正するために有用なデータを提供する。
【００２８】
一実施例においては、センサメモリ４２は、符号化されたデータ用の記憶装置を提供する。一実施例においては、符号化された情報は、抵抗値、容量値もしくは他のコンポーネント値などのコンポーネント値の形態で格納される。
【００２９】
図４は、一実施例によるポッド８０Ｆのブロック図を示す。本図面においては、ポッド８０Ｆは、プロセッサ４６およびメモリ４８を含む。ポッド８０Ｆは、センサコネクタ２２Ｂを含み、示された実施例においては、モニタ（図示されていない）と接続するための幹線ケーブル７０Ｃを含む。ポッドプロセッサ４６は、センサ出力信号を受信し、メモリコンテンツにアクセスし、較正されたセンサデータをモニタに幹線ケーブル７０Ｃを介して提供するように構成される。メモリ４８は、ルックアップテーブルもしくはセンサコネクタ２２Ｂに接続されたセンサによって決定された値を含むことができる。一実施例においては、ポッドプロセッサ４６は、センサの符号化された情報を読み出すように構成される。
【００３０】
図５は、本発明の主題の一実施例による方法５００を示す。５１０において、方法５００は、例えばセンサおよびモニタ間の通信チャネルを検出することを含む。モニタは、複数のチャネルを有し、各チャネルは、（複数のセンサのうちの）一センサおよびモニタ間の通信のために構成される。５２０において、方法５００は、センサに関連付けられた符号（ｃｏｄｅ）の読み出しを試みることを含む。一実施例においては、符号は、センサから受信される。５３０において、方法５００は、符号のない場合（もしくは符号読み出しに失敗した場合）に、通信チャネルに基づいて、センサに対するパラメータを決定することを含む。パラメータは、センサタイプもしくはセンサから導かれる。パラメータは、例えば、センサが身体の下腿領域における利用のために適合されることを示すことができる。さらに、方法５００は、符号を検出すると、格納された符号に基づいて、センサに対するパラメータを決定することを含む。パラメータは、センサ出力が視覚的に示されるべきモニタディスプレイの一部と対応することがある。パラメータは、身体上の対象部位に対応し、対象部位は、身体の画像上に示すことができる。例えば、ディスプレイは、身体のシルエット（輪郭）を示し、センサがシルエット上の特定の位置で身体と結合することを意図されることを示すことができる。さらに、パラメータは、特定の較正係数がセンサから受信されたデータに対して適用されるべきであることを示すことができる。
【００３１】
５４０においては、方法５００は、モニタのディスプレイ上にセンサからのデータを示すことを含む。データは、パラメータの関数として表示される。例えば、データは、パラメータに従って、モニタディスプレイ上に示すことができる。
【００３２】
他の構成もまた考えることができる。例えば、通信チャネルを検出することは、有線接続を検出すること、もしくは無線接続を検出することを含むことができる。無線接続を含む一実施例においては、センサは電池で動作する。一実施例においては、符号の読み出しを試みることは、センサの受動素子と関連付けられた値を決定することを含む。例えば、センサの受動素子（抵抗値など）は、電圧降下もしくは電流の変化によって決定される。符号の読み出しを試みることは、センサの能動素子に関連付けられた値を決定することを含むことができる。能動素子は、トランジスタもしくは他の半導体デバイスを含むメモリ内に格納された値などの、一つ以上のデジタル素子を含むことができる。一実施例においては、パラメータを決定することは、較正情報を決定すること、ディスプレイ上の位置を決定すること、ディスプレイ用のラベルを決定すること、もしくはセンサに関連付けられた身体位置を決定することを含む。前述されたうちの一つ以上を決定することができる。例えば、方法は、センサに関連付けられた身体位置を決定することを含み、ディスプレイを利用してその身体位置を示すことを含むことができる。一実施例においては、方法は、センサに対する種別を決定すること、およびその種別を示すことを含む。
【００３３】
［種々の注記および実施例］
本発明の主題の種々の実施例は、モニタおよび複数のセンサの利用に関連付けられる負荷を軽減するように構成される。例えば、コンパートメント症候群のリスクのある患者は、多数のセンサが身体の様々な部位に結合されることがある。センサは、組織（局所）酸素測定、パルス酸素測定、温度、血圧および他の生理学的測定に関するデータを提供することができる。ある撮像モダリティに関連するような状況下では、センサおよびモニタは、一時的に接続を絶たれる。当該手順後に、介護者は、正確なポッドに各センサを適切に再接続し、測定された結果を適切に表示するためにモニタを構成するという作業を課される。
【００３４】
本発明の主題の一実施例を利用すると、介護者は、モニタへの適切な接続を確立する複数の方法を有する。第一に、介護者は、ポッドに対して各センサコードを順次、取付けることができ、モニタ上の表示を観察することによって、介護者は、その特定のセンサを配置する組織部位を識別することができる。さらには、介護者は、ポッドとセンサをランダムに接続し、センサに関連付けられたパラメータをシステムが発見かつ決定することを可能にすることができる。例えば、センサ内に埋め込まれた符号が、モニタによって読み出されて解釈されて、センサのタイプ、センサに関連する組織部位、データが表示されるべきディスプレイの領域、当該ディスプレイに対する較正情報および当該センサに対して適切な説明およびスケーリングを決定することができる。接続されるセンサのタイプに関わらず、本システムの一実施例は、動作のあるモードから動作の別のモードへと自動的に切り替えることができる。
【００３５】
一実施例においては、センサは、患者の身体と結合するための組織部位を示す外部標識を有する。例えば、センサ本体は、左下腿を示すために標識することができるか、または右上腕を示すために標識することができる。
【００３６】
本発明の主題の一実施例は、センサ部位の選択および特定のセンサアセンブリが結合されるコネクタの選択に関しての重要度を低減するように構成される。一実施例においては、確実にセンサデータが適切に表示されるように、センサアセンブリもしくはコネクタポッドのうちの少なくとも一つが符号化され、センサ自体は、変動に対する許容度を増した状態で取り付け可能である。
【００３７】
モニタは、患者の近くもしくは遠隔位置に配置することができ、ポートで接続されるセンサのタイプを決定するために符号を読み出すように構成することができる。センサは、センサが接続されるシステムチャネル（もしくはポッド）に関係なく識別することができる。
【００３８】
モニタは、センサが接続されるシステムチャネルに関係なく、ディスプレイ上の位置を決定するために、センサから符号を読み出すように構成することができる。
【００３９】
システムの一実施例は、プロセッサ、ディスプレイおよびメモリを有するモニタを含む。モニタは、プリンタを含むか、または、プリンタに接続することができる。さらには、モニタはネットワークに結合することができ、同様にネットワークに結合される遠隔デバイスとの通信およびデータ交換を可能にする。
【００４０】
一実施例においては、モニタは、複数のセンサに接続され、各センサはモニタのポートに別々に接続される。ポートは、モニタに直接取り付けられた電気コネクタを含むか、電気コードによってモニタに結合されたコネクタ（もしくはポッド）を含むことができる。
【００４１】
各ポートは、一対一の関係でセンサに関連付けられ、コンパートメント症候群に関して、各センサは、別々の筋区画に対する局所酸素測定データを提供する。
【００４２】
一実施例においては、介護者が特定のポッドへ特定のセンサを正確にプラグ接続することを必要とするのではなく、介護者は、その代わりに、各センサをランダムに選択されたポッドへと単にプラグ接続することができる。システムは、種々のセンサ間の差を決定し、モニタに接続された各センサに対する表示位置および表示方法を決定するように構成される。
【００４３】
一実施例においては、各センサが符号化される場合、チャネル符号化情報（即ち、モニタの特定のポッドに関連付けられる情報）は無視され、センサ符号が表示特性を決定するために使用される。
【００４４】
モニタおよび種々のセンサアセンブリを適切に再配置および再接続することに関連する問題は、本発明の主題の一実施例によって扱われる。例えば、一実施例は、複数のコネクタポッドを有するモニタを含み、各コネクタポッドはセンサに結合することができる。センサは、組織部位位置に関する情報、センサタイプおよびセンサ較正情報と共に酸素測定データを提供する。
【００４５】
前述したように、コンパートメント症候群の監視および治療は、多数の部位の監視を必要とする。センサが最初に配置されるとき、もしくはその後中断されるとき、有意義なデータを収集できるように適切な位置に各センサを配置し、時には、モニタの適切なポートへと各センサを再接続することが重要である。
【００４６】
介護者が直面する課題の中でも問題となるのは、センサを身体上で何処に配置するかを決定するということである。一実施例においては、センサ本体は、身体位置情報を標識される。センサは、任意のポッドへと接続することができ、介護者は、意図された身体位置を示すモニタ表示を読みとることができる。一実施例においては、介護者は、モニタにセンサを接続するためのポートを選択することができる。センサは、身体上の特定の位置での利用のために標識される。センサは、任意のポッドと接続することができ、モニタは、センサ内に符号化されたデータを読み出し、センサ情報を適切に表示するようにモニタを自動的に構成する。
【００４７】
動作の二つのモードを記述する。第一のモードにおいては、センサは、身体上の既知の位置に分布する（センサが位置に関して外部に標識されているか、または、センサが既に適切な組織部位に配置されているかのいずれか）。任意のポッドは、任意のセンサに対して選択することができ、較正情報、ディスプレイ位置情報は、センサタイプに基づいて決定される。センサは、モニタが適切に生理学的測定をして表示することを可能にするために、自己識別情報が符号化される。モニタは、センサの自己識別符号化情報を読み出して、結果を適切に表示するために、自動的に較正を調整することができる。
【００４８】
動作の第二のモードにおいては、センサ部位は、まだ決定されていないか、確立されていない（センサは、身体上にまだ配置されていないか、特定の位置に対して外部に標識されていない）。本実施例においては、身体上の何処にセンサを配置するか、ならびに如何にしてデータを適切に表示するかということを見出すことが課題となる。本実施例においては、介護者は、センサを任意のポートにプラグ接続することができ、モニタは、自動的に、適切な部位位置を表示し、適切な較正を提供する（センサは、情報が符号化される）。
【００４９】
本発明の主題の一実施例は、動作のあるモードから動作の別のモードへと自動的に切り替わることができる。
【００５０】
センサは、メモリ、もしくはコンポーネント値を含む種々の方法で情報が符号化されることができる。さらには、情報は、接続ケーブル内、コネクタ内、もしくはセンサ筐体自体の内部の位置に符号化し、格納することができる。組織部位情報は、デジタルもしくはアナログ形式で符号化することができる。
【００５１】
モニタは、センサと接続されると、センサに関連付けられた組織部位情報を復号するように構成される。モニタ上に表示されたデータは、センサが接続される特定のポッドに関連付けられる組織部位情報を含むことができる。例えば、モニタのポッドへとセンサを接続した後、モニタのディスプレイは当該特定のセンサに対する組織部位を示す。これによって、患者の適切な部位にセンサを技術者が配置することを支援することができる。例えば、センサは、患者のふくらはぎ下方位置での使用に適合されることを示すように符号化することができ、モニタに（ポッドを介して）接続されると、その示された位置へのセンサの配置を容易にするように、モニタの表示がふくらはぎ下方位置を示す。
【００５２】
このように、モニタは、センサ内に符号化された組織部位情報に対応する組織部位を表示もしくは示すように構成される。
【００５３】
一実施例においては、センサは、組織部位位置に対応するようにラベル付けされるか、標識されるか、もしくは構成される。例えば、符号は、患者におけるセンサ位置を示すために、センサ筐体上に印刷されるか、浮かし模様を付加されるか、またはエンボス加工される。さらには、センサは、組織部位情報が電気的に符号化されることができる。
【００５４】
本発明の主題は、動脈管開存症として知られる医学的状態を監視するように構成することができる。適切に構成されたセンサのアレイは、患者の身体の種々の部位で組織酸素測定を連続的に監視することを可能にするために、患者に取り付け、モニタに結合することができる。
【００５５】
これらの非限定的実施例の各々は、それ自体独立しているか、または、あらゆる一つ以上の他の実施例との任意の置換もしくは組み合わせにおいて組み合わせることができる。
【００５６】
［実施例］
１．各センサが生理学的測定に対応するセンサ出力および前記センサ出力に関連付けられるパラメータを有する複数のセンサと、
モニタプロセッサ、ディスプレイおよび複数のチャネルを有するモニタと、
を含み、
各チャネルは、前記複数のセンサのうちの一センサからセンサ出力を受信するように構成され、前記モニタプロセッサは、一組の命令を実行するように構成され、前記ディスプレイを利用して前記生理学的測定を示すように構成され、前記センサ出力は、前記センサ出力に関連付けられた前記パラメータを利用して構成され、前記パラメータは、前記センサに関連付けられた前記チャネルおよび前記チャネルを利用して受信された符号のうちの少なくとも一つに対応する、
システム。
【００５７】
２．少なくとも一つのセンサは局所酸素測定センサを含む、
実施例１に記載のシステム。
【００５８】
３．チャネルは、前記モニタに結合されたコネクタポッドを含み、前記コネクタポッドは、前記センサ出力に対応するデータを生成するように構成されたポッドプロセッサを有する、
実施例１に記載のシステム。
【００５９】
４．前記ポッドプロセッサは、前記センサ出力に対して較正調整を行うように構成される、
実施例１に記載のシステム。
【００６０】
５．前記モニタプロセッサは、前記パラメータに対応する符号化されたデータを読み出すように構成される、
実施例１に記載のシステム。
【００６１】
６．前記モニタプロセッサは、前記符号および前記パラメータのうちの少なくとも一つを利用して、前記生理学的測定の時間表示を作成するように構成される、
実施例１に記載のシステム。
【００６２】
７．センサおよびモニタ間の通信チャネルを検出することであって、前記モニタは複数のチャネルを有し、各チャネルは、複数のセンサのうちの一センサおよび前記モニタ間の通信用に構成される、ことと、
前記センサに関連付けられた符号の読み出しを試みることであって、前記符号は前記センサから受信される、ことと、
符号のない場合には、前記通信チャネルに基づいて、前記センサ用のパラメータを決定することと、
前記符号を検出すると、前記符号に基づいて、前記センサ用の前記パラメータを決定することと、
前記モニタのディスプレイ上に前記センサからのデータを示すことと、を含み、
前記データは前記パラメータを利用して表示される、
方法。
【００６３】
８．前記通信チャネルを検出することは、有線接続を検出することを含む、
実施例７に記載の方法。
【００６４】
９．前記符号の読み出しを試みることは、前記センサの受動素子に関連付けられた値を決定することを含む、
実施例７に記載の方法。
【００６５】
１０．前記符号の読み出しを試みることは、前記センサの能動素子に関連付けられた値を決定することを含む、
実施例７に記載の方法。
【００６６】
１１．前記パラメータを決定することは、較正情報を決定すること、前記ディスプレイ上の位置を決定すること、前記ディスプレイに対するラベルを決定することおよび前記センサに関連付けられた身体位置を決定することのうちの一つを含む、
実施例７に記載の方法。
【００６７】
１２．前記センサに関連付けられた身体位置を決定することおよび前記身体位置を示すことをさらに含む、
実施例７に記載の方法。
【００６８】
１３．前記センサに対する種別を決定することおよび前記種別を示すことをさらに含む、
実施例７に記載の方法。
【００６９】
１４．センサ内に格納された符号にアクセスすることであって、前記センサはモニタと連通し、前記モニタはディスプレイを有し、前記符号は前記センサに関連付けられたパラメータに対応する値を有する、ことと、
前記センサアセンブリから受信された信号に基づいて、かつ、前記値に基づいて、酸素測定を決定するために、前記モニタのプロセッサを利用して複数の命令を実行することと、
前記符号を利用して、前記ディスプレイ上に、前記酸素測定を表示することと、
を含む、
方法。
【００７０】
１５．前記値は、前記センサアセンブリに対する表示情報に対応する、
実施例１４に記載の方法。
【００７１】
１６．前記符号は、前記モニタの前記ディスプレイ上の位置に対応する、
実施例１４に記載の方法。
【００７２】
１７．前記ディスプレイ上にセンサタイプを示すことをさらに含み、
前記センサタイプは前記符号に基づいて決定される、
実施例１４に記載の方法。
【００７３】
１８．ディスプレイを有するモニタであって、前記ディスプレイの複数の部分に、複数の生理学的測定を図示するように構成される、モニタと、
前記モニタに結合される複数のポッドと、を含み、
各ポッドは、前記ポッドに関連付けられたセンサに対応するデータを提供し、前記モニタに対して符号を提供するように構成され、前記符号は値を有し、また、前記符号は前記ディスプレイの選択された部分に対応し、前記データは前記生理学的測定に対応する信号を含み、前記値は、前記ポッドおよび前記関連付けられたセンサのうちの少なくとも一つによって決定される、
システム。
【００７４】
１９．前記ポッドは、メモリを含み、前記値は前記メモリによって決定される、
実施例１８に記載のシステム。
【００７５】
２０．前記センサはメモリを含み、前記値は前記メモリによって決定される、
実施例１８に記載のシステム。
【００７６】
２１．前記センサは、視覚的標識を含む、
実施例１８に記載のシステム。
【００７７】
２２．前記視覚的標識は、組織部位およびセンサタイプのうちの少なくとも一つに対応する、
実施例１８に記載のシステム。
【００７８】
２３．前記生理学的測定は、局所酸素測定に対応する、
実施例１８に記載のシステム。
【００７９】
上記の発明を実施するための形態は、発明を実施するための形態の一部を形成する添付の図面に対する参照を含む。図面は、本発明を実施することのできる具体的実施形態を例証として示す。これらの実施形態は、本明細書では“実施例”とも称される。当該実施例は、図示もしくは記述された構成要素に加えてさらなる構成要素を含むことができる。しかしながら、本発明者らは、それらの、図示もしくは記述された構成要素のみが提供される実施例も考慮する。さらに、本発明者らは、特定の一実施例（もしくはその一つ以上の態様）に関して、もしくは本明細書で図示もしくは記述された他の実施例（もしくはその一つ以上の態様）に関して、図示もしくは記述された構成要素の任意の組み合わせもしくは置換を利用する実施例（もしくはその一つ以上の態様）をも考慮する。
【００８０】
本文書と参照によって組み入れられた任意の文書の間の用法が一致しない場合には、本文書における用法が優先される。
【００８１】
本文書においては、用語“ａ”もしくは“ａｎ”は、特許文書において通例であるように、任意の他の例からは独立して、もしくは“ａｔ  ｌｅａｓｔ  ｏｎｅ（少なくとも一つ）”もしくは“ｏｎｅ  ｏｒ  ｍｏｒｅ（一つ以上）”の用法からは独立して、一および二以上を含むものとして使用される。本文書においては、用語“ｏｒ”は、他に述べられない限り非排他的、または、“Ａ  ｏｒ  Ｂ”が“Ａ  ｂｕｔ  ｎｏｔ  Ｂ（ＢではなくＡ）”“Ｂ  ｂｕｔ  ｎｏｔ  Ａ（ＡではなくＢ）”および“Ａ  ａｎｄ  Ｂ（ＡおよびＢ）”を含むことを称するように使用される。本文書においては、用語“ｉｎｃｌｕｄｉｎｇ”および“ｉｎ  ｗｈｉｃｈ”は、用語“ｃｏｍｐｒｉｓｉｎｇ”および“ｗｈｅｒｅｉｎ”それぞれの平易な英語の均等物として使用される。また、添付の請求項においては、用語“ｉｎｃｌｕｄｉｎｇ”および“ｃｏｍｐｒｉｓｉｎｇ”は、オープンエンドであって、即ち、請求項において当該用語の後に記載されたものに加えて、さらに構成要素を含むシステム、デバイス、態様、組成物、製剤もしくはプロセスは、当該請求項の範囲内にあるとみなされる。さらには、添付の請求項においては、用語“ｆｉｒｓｔ（第一）”“ｓｅｃｏｎｄ（第二）”および“ｔｈｉｒｄ（第三）”などは単なるラベルとして使用され、それらの対象物に数値的要件を課すことを意図するものではない。
【００８２】
本明細書で記述された方法の実施例は、少なくとも部分的にマシンもしくはコンピュータ実装することができる。幾つかの実施例は、上述された実施例に記述された様な方法を実施するように電子デバイスを構成するように動作可能な命令が符号化されたコンピュータ可読媒体もしくはマシン可読媒体を含むことができる。当該方法の実装は、マイクロコード、アセンブリ言語コード、より高レベルの言語コードなどの符号を含むことができる。当該符号は、種々の方法を実施するためのコンピュータ可読命令を含むことができる。符号は、コンピュータプログラム製品の一部を形成してもよい。さらには、一実施例においては、符号は、実行中もしくは他のときに、揮発性、非一時的、もしくは不揮発性有体コンピュータ可読媒体の一つ以上に実体的に格納することができる。これらの有体コンピュータ可読媒体の実施例は、ハードディスク、リムーバブル磁気ディスク、リムーバブル光ディスク（例えば、コンパクトディスクおよびデジタルビデオディスク）、磁気カセット、メモリカードもしくはスティック、ランダムアクセスメモリ（ＲＡＭ）、リードオンリーメモリ（ＲＯＭ）などを含むが、そのいずれにも限定されることはない。
【００８３】
上記の記述は、例示的なものであって、限定することを意図するものではない、例えば、上述された実施例（もしくはその一つ以上の態様）は、互いに組み合わせて利用されてもよい。上記の記述を再考することによって、例えば当業者によって他の実施形態が利用されることができる。要約書は、技術開示の本質を読者が迅速に確認することを可能にするために提供される。要約書は、請求項の範囲もしくは意味を解釈もしくは限定するために使用されないことを理解したうえで提出される。また、上記の発明を実施するための形態においては、種々の特徴は、本開示を合理化するためにまとめられてもよい。これは、開示されていても請求されていない特徴が任意の請求項に必須であることを意図するものとして解釈されるべきではない。むしろ、発明の主題は、開示された特定の実施形態の全ての特徴より少ない特徴に及ぶものとしてもよい。このように、添付の請求項は、本明細書において実施例もしくは実施形態として、発明を実施するための形態に組み入れられ、各請求項は、別々の実施形態としてそれ自体独立し、当該実施形態は、種々の組み合わせもしくは置換で互いに組み合わせることができると考えられる。
【図１Ａ】
2015532882.tif 000003
【図２】
2015532882.tif 000004
【図１Ｂ】
2015532882.tif 000005
【図３】
2015532882.tif 000006
【図４】
2015532882.tif 000007
【図５】
2015532882.tif 000008
【国際調査報告】
2015532882.tif 000009
2015532882.tif 000010